(57)【要約】第１コネクタ２と、前記第１コネクタと接続される第２コネクタ２２とを備えるコネクタであって、前記第１コネクタが、両側壁、底面、及び前記第２コネクタの先端部と対向する壁部によって形成され、前記底面の上方から嵌合される前記第２コネクタを受入れる受入空間を有する第１ハウジングと、上方から被せられた前記第２コネクタを嵌合準備状態の位置で保持する保持部４ｊと、前記両側壁の長さ方向に前記第２コネクタが脱抜しないように係止する係止部とを備え、前記第２コネクタが、前記先端部、及び前記受入空間を構成する前記両側壁と対向する両外壁を有する第２ハウジングと、前記嵌合準備状態において前記第１コネクタの前記保持部によって保持される被保持部３２ｂと、前記第１コネクタの前記係止部と係合する係合部とを備え、前記第１コネクタと前記第２コネクタとが、前記嵌合準備状態において、前記第２コネクタの前記先端部を前記第１コネクタの前記受入空間を構成する前記壁部と当接させた壁当接状態の位置から前記第１コネクタの前記係止部と前記第２コネクタの前記係合部とを当接させた係止状態の位置の間で移動可能である。
2016208328.tif 000002
【特許請求の範囲】
【請求項１】
第１コネクタと、前記第１コネクタと接続される第２コネクタとを備えるコネクタであって、
前記第１コネクタは、
両側壁、底面、及び前記第２コネクタの先端部と対向する壁部によって形成され、前記底面の上方から嵌合される前記第２コネクタを受入れる受入空間を有する第１ハウジングと、
上方から被せられた前記第２コネクタを嵌合準備状態の位置で保持する保持部と、
前記両側壁の長さ方向に前記第２コネクタが脱抜しないように係止する係止部と
を備え、
前記第２コネクタは、
前記先端部、及び前記受入空間を構成する前記両側壁と対向する両外壁を有する第２ハウジングと、
前記嵌合準備状態において前記第１コネクタの前記保持部によって保持される被保持部と、
前記第１コネクタの前記係止部と係合する係合部と
を備え、
前記第１コネクタと前記第２コネクタとは、前記嵌合準備状態において、前記第２コネクタの前記先端部を前記第１コネクタの前記受入空間を構成する前記壁部と当接させた壁当接状態の位置から前記第１コネクタの前記係止部と前記第２コネクタの前記係合部とを当接させた係止状態の位置の間で移動可能なことを特徴とするコネクタ。
【請求項２】
前記第１コネクタは、
前記受入空間を構成する前記壁部に所定の間隔で配列され、平板状の両面に被接触平面が形成された複数の被接触部を備え、
前記第２コネクタは、
前記被接触部の配列間隔と同一の間隔で前記第２ハウジングの前記先端部側に形成された複数の被接触部挿入溝と、
前記被接触部挿入溝にそれぞれ配置され、前記被接触部の前記被接触平面と接触する接触部分が形成された複数の接触部を備え、
前記接触部と前記被接触部とは、前記第１コネクタに前記第２コネクタを嵌合させた嵌合状態において、前記第１コネクタと前記第２コネクタの位置が前記壁当接状態の位置から前記係止状態の位置の間にある場合に接触することを特徴とする請求項１記載のコネクタ。
【請求項３】
前記第１コネクタは、
前記嵌合状態において上方に前記第２コネクタが脱抜しないように維持する維持部を備え、
前記第２コネクタは、
前記嵌合部と当接する当接部を備え、
前記接触部と前記被接触部とは、前記嵌合状態において、前記第１コネクタと前記第２コネクタの位置が、前記第２コネクタの下面を前記第１コネクタの前記受入空間を構成する前記底面と当接させた状態の位置から前記維持部と前記当接部とを当接させた状態の位置の間にある場合に接触することを特徴とする請求項２記載のコネクタ。
【請求項４】
請求項１〜３の何れか一項に記載された前記第１コネクタまたは前記第２コネクタの少なくとも一方を搭載した板状のコネクタ搭載基板であって、
基板長手方向に延びる形状を有し、前記コネクタ搭載基板が取付けられる取付部材に形成された突部が挿入される貫通孔を備えることを特徴とするコネクタ搭載基板。
【請求項５】
前記嵌合準備状態において、前記第１コネクタと前記第２コネクタとの相対的な位置を前記壁当接状態の位置から前記係止状態の位置の間の何れかの位置に位置させた場合において、前記突部が前記貫通孔に挿入されることを特徴とする請求項４記載のコネクタ搭載基板。
【請求項６】
ＬＥＤが前記コネクタ搭載基板に搭載されていることを特徴とする請求項４または５に記載されたコネクタ搭載基板。
【請求項７】
前記コネクタ搭載基板には前記第１コネクタと前記第２コネクタが搭載され、
前記取付部材に取付けられた前記コネクタ搭載基板に搭載された前記第１コネクタに、
新たに前記取付部材に取付ける前記コネクタ搭載基板に搭載された前記第２コネクタを嵌合し、新たに前記取付部材に取付けられた前記コネクタ搭載基板に搭載された前記第１コネクタに、更に新たに前記取付部材に取付ける前記コネクタ搭載基板に搭載された前記第２コネクタを嵌合することを繰り返すことにより、複数の前記コネクタ搭載基板が基板長手方向に連結されることを特徴とする請求項４〜６の何れか一項に記載のコネクタ搭載基板。
【請求項８】
請求項６に記載された前記コネクタ搭載基板と、
前記コネクタ搭載基板が取付けられた前記取付部材と
を備えることを特徴とする照明装置。
【請求項９】
請求項８に記載された前記照明装置と、
前記照明装置が背面に配置された液晶パネルと
を備えることを特徴とする表示装置。
【発明の詳細な説明】
【技術分野】
【０００１】
本発明は、コネクタ、該コネクタを搭載したコネクタ搭載基板、ＬＥＤが搭載された該コネクタ搭載基板を搭載した照明装置、及び該照明装置を搭載した表示装置に関するものである。
【背景技術】
【０００２】
従来、一端にプラグコネクタを搭載し、他端にレセプタクルコネクタを搭載したＬＥＤバックライト用の基板が知られている（非特許文献１）。この基板によれば、隣接する一方の基板に搭載されたプラグコネクタと隣接する他方の基板に搭載されたレセプタクルコネクタを接続することにより、複数の基板を基板長手方向に連結することができる。【０００３】
また、２枚の回路基板の配置を自由に選定できるヒンジ型のコネクタが知られている（特許文献１）。
【先行技術文献】
【非特許文献】
【０００４】
【非特許文献１】http://www.chinese.molex.com/molex/products/family?key=fleximate#connector#system&channel=products&chanName=family&pageTitle=Introduction&parentKey=board#to#board#connectors（ＭＯＬＥＸ社ウェブサイト）
【特許文献】
【０００５】
【特許文献１】実公平６−１９１６２号公報
【発明の概要】
【発明が解決しようとする課題】
【０００６】
ところで、ＬＥＤバックライトのバックシャーシに基板を取付ける場合、バックシャーシに形成された位置決め用突部を基板に形成された貫通孔に挿入させてバックシャーシに基板を取付ける必要がある。【０００７】
しかしながら、非特許文献１に記載された基板に搭載されているコネクタは、基板長手方向と平行な方向にしか接続できないため、非特許文献１に記載された基板をバックシャーシに取付けるには、以下のような手順を経る必要があった。【０００８】
まず、図２４に示すように、新たに取付ける基板７２がバックシャーシに形成された位置決め用突部７４と接触しないように一旦基板７２を湾曲させ、新たに取付ける基板７２に搭載されたコネクタ８６を既にバックシャーシに取付けられた基板８２に搭載されたコネクタ８４と向き合わせる。次に、貫通孔７５の位置と位置決め用突部７４の位置を合わせ、湾曲した基板７２を元に戻して貫通孔７５に位置決め用突部７４を挿入させる。更に、貫通孔７５に位置決め用突部７４を挿入したまま基板７２を基板長手方向に移動し、既にバックシャーシに取付けられた基板８２に搭載されたコネクタ８４と、基板７２に搭載されたコネクタ８６とを接続させて基板８２と基板７２を連結する。【０００９】
このように、非特許文献１に記載された基板に搭載されているコネクタを用いた場合、ＬＥＤバックライトを製造する過程で基板を湾曲させる必要があり、基板同士を容易に連結させることが難しいという問題があった。【００１０】
なお、特許文献１に記載されたコネクタは、接続状態におけるコネクタのヒンジ運動の回転中心を一定範囲内で移動させて偏心させることを特徴としており、ＬＥＤバックライトを製造する際に用いることを前提とするものではない。【００１１】
本発明の目的は、ＬＥＤバックライトを製造する過程で基板同士を連結し易くすることができるコネクタ、及びコネクタ搭載基板を提供することである。
【課題を解決するための手段】
【００１２】
本発明のコネクタは、第１コネクタと、前記第１コネクタと接続される第２コネクタとを備えるコネクタであって、前記第１コネクタが、両側壁、底面、及び前記第２コネクタの先端部と対向する壁部によって形成され、前記底面の上方から嵌合される前記第２コネクタを受入れる受入空間を有する第１ハウジングと、上方から被せられた前記第２コネクタを嵌合準備状態の位置で保持する保持部と、前記両側壁の長さ方向に前記第２コネクタが脱抜しないように係止する係止部とを備え、前記第２コネクタが、前記先端部、及び前記受入空間を構成する前記両側壁と対向する両外壁を有する第２ハウジングと、前記嵌合準備状態において前記第１コネクタの前記保持部によって保持される被保持部と、前記第１コネクタの前記係止部と係合する係合部とを備え、前記第１コネクタと前記第２コネクタとが、前記嵌合準備状態において、前記第２コネクタの前記先端部を前記第１コネクタの前記受入空間を構成する前記壁部と当接させた壁当接状態の位置から前記第１コネクタの前記係止部と前記第２コネクタの前記係合部とを当接させた係止状態の位置の間で移動可能なことを特徴とする。【００１３】
また、本発明のコネクタは、前記第１コネクタが、前記受入空間を構成する前記壁部に所定の間隔で配列され、平板状の両面に被接触平面が形成された複数の被接触部を備え、前記第２コネクタが、前記被接触部の配列間隔と同一の間隔で前記第２ハウジングの前記先端部側に形成された複数の被接触部挿入溝と、前記被接触部挿入溝にそれぞれ配置され、前記被接触部の前記被接触平面と接触する接触部分が形成された複数の接触部を備え、前記接触部と前記被接触部とが、前記第１コネクタに前記第２コネクタを嵌合させた嵌合状態において、前記第１コネクタと前記第２コネクタの位置が前記壁当接状態の位置から前記係止状態の位置の間にある場合に接触することを特徴とする。【００１４】
また、本発明のコネクタは、前記第１コネクタが、前記嵌合状態において上方に前記第２コネクタが脱抜しないように維持する維持部を備え、前記第２コネクタが、前記嵌合部と当接する当接部を備え、前記接触部と前記被接触部とが、前記嵌合状態において、前記第１コネクタと前記第２コネクタの位置が、前記第２コネクタの下面を前記第１コネクタの前記受入空間を構成する前記底面と当接させた状態の位置から前記維持部と前記当接部とを当接させた状態の位置の間にある場合に接触することを特徴とする。【００１５】
また、本発明のコネクタ搭載基板は、前記第１コネクタまたは前記第２コネクタの少なくとも一方を搭載した板状のコネクタ搭載基板であって、基板長手方向に延びる形状を有し、前記コネクタ搭載基板が取付けられる取付部材に形成された突部が挿入される貫通孔を備えることを特徴とする。【００１６】
また、本発明のコネクタ搭載基板は、前記嵌合準備状態において、前記第１コネクタと前記第２コネクタとの相対的な位置を前記壁当接状態の位置から前記係止状態の位置の間の何れかの位置に位置させた場合において、前記突部が前記貫通孔に挿入されることを特徴とする。【００１７】
また、本発明のコネクタ搭載基板は、ＬＥＤが前記コネクタ搭載基板に搭載されていることを特徴とする。【００１８】
また、本発明のコネクタ搭載基板は、前記コネクタ搭載基板には前記第１コネクタと前記第２コネクタが搭載され、前記取付部材に取付けられた前記コネクタ搭載基板に搭載された前記第１コネクタに、新たに前記取付部材に取付ける前記コネクタ搭載基板に搭載された前記第２コネクタを嵌合し、新たに前記取付部材に取付けられた前記コネクタ搭載基板に搭載された前記第１コネクタに、更に新たに前記取付部材に取付ける前記コネクタ搭載基板に搭載された前記第２コネクタを嵌合することを繰り返すことにより、複数の前記コネクタ搭載基板が基板長手方向に連結されることを特徴とする。【００１９】
また、本発明の照明装置は、本発明の前記コネクタ搭載基板と、前記コネクタ搭載基板が取付けられた前記取付部材とを備えることを特徴とする。【００２０】
また、本発明の表示装置は、本発明の前記照明装置と、前記照明装置が背面に配置された液晶パネルとを備えることを特徴とする。
【発明の効果】
【００２１】
本発明によれば、ＬＥＤバックライトを製造する過程で基板同士を連結し易くすることができる。
【図面の簡単な説明】
【００２２】
【図１】実施の形態に係るプラグコネクタの表面の斜視図である。
【図２】実施の形態に係るプラグコネクタの裏面の斜視図である。
【図３】実施の形態に係るプラグコネクタの表面の平面図である。
【図４】実施の形態に係るレセプタクルコネクタの表面の斜視図である。
【図５】実施の形態に係るレセプタクルコネクタの裏面の斜視図である。
【図６】実施の形態に係るレセプタクルコネクタの裏面の平面図である。
【図７】実施の形態に係るレセプタクルコネクタに配置される第２コンタクトを示す斜視図である。
【図８】実施の形態に係るプラグコネクタを搭載したＬＥＤバックライト用のコネクタ搭載基板を示す平面図である。
【図９】実施の形態に係るレセプタクルコネクタを搭載したＬＥＤバックライト用のコネクタ搭載基板を示す平面図である。
【図１０】実施の形態に係るコネクタ搭載基板をＬＥＤバックライトのバックシャーシに取付けた状態を示す平面図である。
【図１１】実施の形態に係るプラグコネクタとレセプタクルコネクタを初期状態の位置に位置させた場合の斜視図である。
【図１２】実施の形態に係るプラグコネクタとレセプタクルコネクタを初期状態の位置に位置させた場合の断面図である。
【図１３】実施の形態に係るプラグコネクタとレセプタクルコネクタを嵌合準備状態の位置に位置させた場合の断面図である。
【図１４】実施の形態に係る嵌合準備状態におけるプラグコネクタを搭載したコネクタ搭載基板とレセプタクルコネクタを搭載したコネクタ搭載基板を示す斜視図である。
【図１５】実施の形態に係るプラグコネクタとレセプタクルコネクタを嵌合準備状態の位置に位置させた場合の側面図である。
【図１６】実施の形態に係る嵌合準備状態においてレセプタクルコネクタの先端部をプラグコネクタの壁部と当接させた状態を示す側面図である。
【図１７】実施の形態に係る嵌合準備状態においてプラグコネクタの係止部とレセプタクルコネクタの係合面とを当接させた状態を示す側面図である。
【図１８】実施の形態に係るプラグコネクタとレセプタクルコネクタを嵌合状態の位置に位置させた場合の断面図である。
【図１９】実施の形態に係るコネクタ搭載基板をＬＥＤバックライトのバックシャーシに取付けた状態を示す平面図である。
【図２０】実施の形態に係る嵌合状態においてレセプタクルコネクタの先端部をプラグコネクタの壁部と当接させた状態を示す側面図である。
【図２１】実施の形態に係る嵌合状態においてプラグコネクタの係止部とレセプタクルコネクタの係合面とを当接させた状態を示す側面図である。
【図２２】実施の形態に係る嵌合状態においてレセプタクルコネクタの下面をプラグコネクタの受入空間を構成する底面と当接させた状態を示す断面図である。
【図２３】実施の形態に係るプラグコネクタとレセプタクルコネクタを搭載した複数のコネクタ搭載基板を連結する場合を示す図である。
【図２４】従来のコネクタ搭載基板をＬＥＤバックライトのバックシャーシに取付ける場合を示す図である。
【発明を実施するための形態】
【００２３】
以下、図面を参照して、本発明の実施の形態に係るコネクタについて説明する。図１は実施の形態に係るプラグコネクタの表面の斜視図であり、図２は実施の形態に係るプラグコネクタの裏面の斜視図である。また、図３は、実施の形態に係るプラグコネクタの表面の平面図である。
【００２４】
図１〜３に示すように、プラグコネクタ２は、平面視矩形状の第１ハウジング４、第１コンタクト６、及び第１固定金具８を備えている。
【００２５】
第１ハウジング４は、絶縁性を有する部材によって形成され、中央部にレセプタクルコネクタ２２（図４参照）を受入れるための受入空間１０が形成されている。受入空間１０は、第１ハウジング４の長手方向の両端部に形成された側壁部４ａ、底面４ｂ、及びレセプタクルコネクタ２２の先端部２４ａ（図４参照）と対向する壁部４ｃによって囲まれた直方体状の空間である。
【００２６】
ここで、受入空間１０を構成する側壁部４ａの長さ方向Ａの略中央部には、側壁部４ａを直方体状に切り欠いた切欠部４ｚが形成されている。切欠部４ｚを構成する三つの壁面のうち、壁部４ｃから最も離れた位置に形成された壁面には、レセプタクルコネクタ２２が側壁部４ａの長さ方向Ａに脱抜しない位置でレセプタクルコネクタ２２を係止する係止部４ｆが形成されている。
【００２７】
また、側壁部４ａの上端には、側壁部４ａの長さ方向Ａに延びかつ受入空間１０側に突出する略直方体状の突出部４ｇが形成されている。突出部４ｇの上面には、上方から被さるレセプタクルコネクタ２２を後述する嵌合準備状態の位置で保持する保持面４ｊが形成されている。保持面４ｊは、側壁部４ａの上端から受入空間１０の底面４ｂに向けて下方向に傾斜している（図１２参照）。また、突出部４ｇの下面には、プラグコネクタ２に嵌合されたレセプタクルコネクタ２２が上方に脱抜しないようにレセプタクルコネクタ２２を後述する嵌合状態の位置に維持する嵌合維持面４ｋが形成されている。嵌合維持面４ｋは、側壁部４ａから受入空間１０の上方向に向けて傾斜している（図１２参照）。
【００２８】
第１コンタクト６は、第１ハウジング４の壁部４ｃの長手方向に所定の間隔で複数配列された導電性を有する金属部材であり、受入空間１０側に、第２コンタクト２６の接触部（図７に示すバネ片２６ａ）と接触する平板状の被接触部６ａを備えている。被接触部６ａの平板状の両面には、壁部４ｃの長手方向と直交し、第２コンタクト２６のバネ片２６ａに設けられた接触部分２６ｃ（図７参照）と接触する被接触平面６ｂが形成されている。
【００２９】
第１固定金具８は、プラグコネクタ２をコネクタ搭載基板４２ａ（図８参照）に固定する金具であり、第１ハウジング４の両側壁部４ａに配置されている。
【００３０】
図４は実施の形態に係るレセプタクルコネクタの表面の斜視図であり、図５は実施の形態に係るレセプタクルコネクタの裏面の斜視図である。また、図６は、実施の形態に係るプラグコネクタの裏面の平面図である。
【００３１】
図４〜６に示すように、レセプタクルコネクタ２２は、第２ハウジング２４、第２コンタクト２６、及び第２固定金具２８を備えている。
【００３２】
第２ハウジング２４は、絶縁性を有する部材によって形成され、第２ハウジング２４の先端部２４ａ側には、被接触部６ａを挿入させる挿入溝２４ｂがプラグコネクタ２の第１コンタクト６の配列間隔と同一間隔で形成されている。挿入溝２４ｂは、第２ハウジング２４の先端部２４ａから下面２４ｄの間を切欠いて形成されている。なお、挿入溝２４ｂは、更に先端部２４ａから上面２４ｕの間を切欠いて形成されていてもよい（図示せず）。この場合、プラグコネクタ２にレセプタクルコネクタ２を嵌合させた際に、挿入溝２４ｂに挿入された被接触部６ａの上端部が第２ハウジング２４の上面２４ｕの位置に位置する程度に被接触部６ａの高さを延長してもよい。
【００３３】
また、第２ハウジング２４の先端部２４ａ側の両外壁２４ｆには、外壁２４ｆの高さ方向に延びる略直方体状の第１外壁突出部３０、及び外壁２４ｆの長さ方向Ｂに延びる略直方体状の第２外壁突出部３２が形成されている。
【００３４】
ここで、第１外壁突出部３０の後端部２４ｇ側に形成された矩形状の壁面には、プラグコネクタ２の係止部４ｆと係合する係合面３０ａが形成されている。また、第２外壁突出部３２の上面には、外壁２４ｆの外側下方に傾斜し、プラグコネクタ２の嵌合維持面４ｋと当接する当接面３２ａが形成されている。また、第２外壁突出部３２の下面には、外壁２４ｆの外側上方に傾斜し、プラグコネクタ２の保持面４ｊと当接する被保持面３２ｂが形成されている。
【００３５】
第２コンタクト２６は、第２ハウジング２４内に第１コンタクト６の配列間隔と同一間隔で配置されている。ここで、図７に示すように、第２コンタクト２６の一方の端部には、第２ハウジング２４の挿入溝２４ｂ内に配置され、第１コンタクト６の被接触部６ａと接触する接触部である二つのバネ片２６ａが形成されている。二つのバネ片２６ａは対向した位置に設けられ、バネ片２６ａ間に位置する空間２６ｂ側の面にそれぞれ被接触部６ａの被接触平面６ｂと接触する接触部分２６ｃを備えている。
【００３６】
図８は、実施の形態に係るプラグコネクタ２を搭載したＬＥＤバックライト用のコネクタ搭載基板を示す平面図であり、図９は、実施の形態に係るレセプタクルコネクタ２２を搭載したＬＥＤバックライト用のコネクタ搭載基板を示す平面図である。図８、９に示すように、コネクタ搭載基板４２ａの一方の端部には、プラグコネクタ２が搭載され、コネクタ搭載基板４２ｂの一方の端部には、プラグコネクタ２と嵌合するレセプタクルコネクタ２２が搭載されている。また、コネクタ搭載基板４２ａ、４２ｂには、複数のＬＥＤ４４が搭載されると共に、基板長手方向に延びる横長形状の貫通孔４６が形成されている。
【００３７】
次に、プラグコネクタ２を搭載したコネクタ搭載基板４２ａにレセプタクルコネクタ２２を搭載したコネクタ搭載基板４２ｂを連結する手順について説明する。まず、図１０に示すように、ＬＥＤバックライトのバックシャーシ５２にコネクタ搭載基板４２ａが取付けられる。次に、図１１に示す斜視図、及び図１２に示す断面図のように、コネクタ搭載基板４２ｂに搭載されたレセプタクルコネクタ２２の位置をコネクタ搭載基板４２ａに搭載されたプラグコネクタ２の上方の所定の位置に位置させる（以下、この状態を初期状態という。）。
【００３８】
ここで、コネクタ搭載基板４２ｂに搭載されたレセプタクルコネクタ２２を下方に移動させると、プラグコネクタ２の受入空間１０にレセプタクルコネクタ２２の第２ハウジング２４が受け入れられ、図１３に示すように、プラグコネクタ２の側壁部４ａから突出する突出部４ｇの上面に形成された保持面４ｊが、レセプタクルコネクタ２２の第２外壁突出部３２の下面に形成された被保持面３２ｂと当接する。これにより、保持面４ｊによってプラグコネクタ２の位置が嵌合準備状態の位置に保持される。ここで、嵌合準備状態とは、プラグコネクタ２にレセプタクルコネクタ２２を嵌合する嵌合過程において、プラグコネクタ２とレセプタクルコネクタ２２の位置を嵌合可能な位置に合わせた状態をいう。
【００３９】
また、嵌合準備状態において、第２ハウジング２４に形成された挿入溝２４ｂにプラグコネクタ２に備えられた第１コンタクト６の被接触部６ａが挿入される。
【００４０】
図１４は、嵌合準備状態におけるプラグコネクタ２を搭載したコネクタ搭載基板４２ａとレセプタクルコネクタ２２を搭載したコネクタ搭載基板４２ｂを示す斜視図であり、図１５はその側面図である。この嵌合準備状態において、レセプタクルコネクタ２２は、基板長手方向にスライド可能な状態で保持面４ｊに保持されている。具体的には、保持面４ｊに保持されたレセプタクルコネクタ２２は、図１６に示すレセプタクルコネクタ２２の先端部２４ａをプラグコネクタ２の壁部４ｃと当接させた壁当接状態の位置から、図１７に示すプラグコネクタ２の係止部４ｆ（図１参照）とレセプタクルコネクタ２２の係合面３０ａとを当接させた係止状態の位置の間での基板長手方向にスライドさせることができる。
【００４１】
このため、図１６に示す壁当接状態から図１７に示す係止状態の範囲でプラグコネクタ２をレセプタクルコネクタ２２と当接させることにより嵌合準備状態の位置にレセプタクルコネクタ２２の位置を合わせることができる。したがって、作業者は、厳密な位置合わせを行うことなく容易にレセプタクルコネクタ２２の位置合わせを完了させることができる。また、嵌合準備状態を維持したままコネクタ搭載基板４２ｂを基板長手方向にスライドさせることにより、図１４に示すように、バックシャーシ５２に形成された位置決め用突部５４が貫通孔４６の位置に来るように貫通孔４６の位置合わせを行うことができ、的確に貫通孔４６を位置決め用突部５４に挿入させることができる。なお、貫通孔４６を位置決め用突部５４に挿入させた場合、バックシャーシ５２上におけるコネクタ搭載基板４２ｂの厚み方向、及び基板長手方向の位置が固定される。
【００４２】
次に、レセプタクルコネクタ２２が更に下方に押下されると、図１８に示すように、レセプタクルコネクタ２２の第２外壁突出部３２がプラグコネクタ２の突出部４ｇの下側に移動して、レセプタクルコネクタ２２が上方に脱抜しないように突出部４ｇによってロックされ、レセプタクルコネクタ２２がプラグコネクタ２に嵌合された状態（以下、嵌合状態という。）になる。
【００４３】
また、レセプタクルコネクタ２２に配置された第２コンタクト２６の端部（図７参照）に形成されたバネ片２６ａ間の空間２６ｂに第１コンタクト６（図１参照）の被接触部６ａが挿入され、被接触部６ａの平板状の両面に形成された被接触平面６ｂがバネ片２６ａに形成された接触部分２６ｃ（図７参照）と接触し、第１コンタクト６と第２コンタクト２６とが電気的に接続される。
【００４４】
この嵌合状態において、コネクタ搭載基板４２ｂの貫通孔４６（図１４参照）に挿入された位置決め用突部５４の先端にナットが被せられ、図１９に示すように、コネクタ搭載基板４２ｂがバックシャーシ５２に固定される。即ち、コネクタ搭載基板４２ａとコネクタ搭載基板４２ｂが連結した状態でバックシャーシ５２に取付けられ、照明装置（ＬＥＤバックライト）が製造される。更にコネクタ搭載基板が搭載された照明装置（ＬＥＤバックライト）を液晶パネルの背面に配置して、この照明装置（ＬＥＤバックライト）が搭載された表示装置が製造される。
【００４５】
ここで、表示装置の具体例としては、例えば、液晶テレビやノートパソコン等の液晶パネルを備えた装置等を挙げることができる。この場合、照明装置（ＬＥＤバックライト）は、液晶テレビやノートパソコン等の液晶パネルに背面からＬＥＤ光を照射することで液晶パネルに映像を表示できるようにする。
【００４６】
なお、嵌合状態において、プラグコネクタ２の被接触部６ａとレセプタクルコネクタ２２の接触部であるバネ片２６ａは、プラグコネクタ２とレセプタクルコネクタ２２の位置が、図２０に示すレセプタクルコネクタ２２の先端部２４ａをプラグコネクタ２の壁部４ｃと当接させた壁当接状態から、図２１に示すプラグコネクタ２の側壁部４ａに形成された係止部４ｆとレセプタクルコネクタ２２の第１外壁突出部３０（図４参照）に形成された係合面３０ａとを当接させた係止状態の間にある範囲において接触する。
【００４７】
このように、嵌合状態における被接触部６ａと接触部（バネ片２６ａ）は、基板長手方向において図２０に示す壁当接状態から図２１に示す係止状態の範囲で接触するため、コネクタ搭載基板４２ａ、４２ｂがＬＥＤ４４から放熱された熱の加減によって膨張または収縮した場合においても、被接触部と接触部の接触状態を維持することができる。また、コネクタ搭載基板４２ａ、４２ｂが熱で膨張した場合において、レセプタクルコネクタ２２の先端部２４ａがプラグコネクタ２の壁部４ｃとぶつかり、コネクタ搭載基板４２ａ、４２ｂが歪むことを防止することができる。
【００４８】
また、嵌合状態において、被接触部６ａと接触部（バネ片２６ａ）は、プラグコネクタ２とレセプタクルコネクタ２２の位置が、図２２に示すレセプタクルコネクタ２２の下面２４ｄをプラグコネクタ２の受入空間１０を構成する底面４ｂと当接させた状態から、図１８に示すプラグコネクタ２の突出部４ｇに形成された嵌合維持面４ｋとレセプタクルコネクタ２２の第２外壁突出部３２に形成された当接面３２ａとを係合させた状態の間にある範囲において接触する。これにより、被接触部と接触部の接触状態を維持したままコネクタ搭載基板４２ａ、４２ｂを上下方向にずらすことができる。
【００４９】
この実施の形態に係る発明によれば、ＬＥＤバックライトを製造する過程で基板同士を連結し易くすることができるコネクタ、及びコネクタ搭載基板を提供することができる。
【００５０】
なお、貫通孔４６（図８、９参照）の基板長手方向の長さは、嵌合準備状態におけるプラグコネクタ２とレセプタクルコネクタ２２の相対的な位置を、図１６に示す壁当接状態の位置から図１７に示す係止状態の間に位置する範囲の何れかの位置に位置させた場合において、位置決め用突部５４が貫通孔４６に挿入される長さに形成されている。
【００５１】
例えば、嵌合準備状態において、レセプタクルコネクタ２２の位置を壁当接状態（図１６参照）の位置に位置させた場合に、図１４に示す貫通孔４６の紙面右端が位置決め用突部５４と当接し、レセプタクルコネクタ２２の位置を係止状態（図１７参照）の位置に位置させた場合に、図１４に示す貫通孔４６の紙面左端が位置決め用突部５４と当接するように、貫通孔４６の基板長手方向の長さを設定してもよい。
【００５２】
また、嵌合準備状態において、レセプタクルコネクタ２２の位置を壁当接状態（図１６参照）の位置、係止状態（図１７参照）の位置の少なくとも一方の位置に位置させた場合に、貫通孔４６が位置決め用突部５４と当接しないように、貫通孔４６の基板長手方向の長さを長めに設定してもよい。
【００５３】
さらに、嵌合準備状態において、レセプタクルコネクタ２２の位置を壁当接状態の位置の近傍、または係止状態の位置の近傍に位置させた場合には、貫通孔４６に位置決め用突部５４を挿入できないように貫通孔４６の基板長手方向の長さを設定してもよい。
【００５４】
また、上述の実施の形態において、コネクタ搭載基板の一方の端部にプラグコネクタ２が搭載され、他方の端部にレセプタクルコネクタ２２が搭載されていてもよい。この場合、図２３に示すように、バックシャーシ５２に取付けられたコネクタ搭載基板４２ｃに搭載されたプラグコネクタ２に、コネクタ搭載基板４２ｄに搭載されたレセプタクルコネクタ２２を嵌合してバックシャーシ５２にコネクタ搭載基板４２ｄを取付け、更にバックシャーシ５２に取付けられたコネクタ搭載基板４２ｄに搭載されたプラグコネクタ２に、コネクタ搭載基板４２ｅに搭載されたレセプタクルコネクタ２２を嵌合してバックシャーシ５２にコネクタ搭載基板４２ｅを取付けることを繰り返す。これにより、基板長手方向に複数のコネクタ搭載基板を連結することができる。
【００５５】
また、上述の実施の形態においては、受入空間１０を構成する側壁部４ａに係止部４ｆ、突出部４ｇが形成されている場合を例に説明しているが、係止部４ｆ、突出部４ｇは必ずしも側壁部４ａに形成されていなくてもよい。また、係止部４ｆ、突出部４ｇの形状は必ずしも図１、３に示された形状に限定されない。
【００５６】
また、上述の実施の形態において、第１外壁突出部３０、第２外壁突出部３２は、必ずしも第２ハウジング２４の先端部２４ａ側の両外壁２４ｆに形成されていなくてもよい。また、また、第１外壁突出部３０、第２外壁突出部３２の形状は図４〜６に示された形状に限定されない。
【図１】
2016208328.tif 000003
【図２】
2016208328.tif 000004
【図３】
2016208328.tif 000005
【図４】
2016208328.tif 000006
【図５】
2016208328.tif 000007
【図６】
2016208328.tif 000008
【図７】
2016208328.tif 000009
【図８】
2016208328.tif 000010
【図９】
2016208328.tif 000011
【図１０】
2016208328.tif 000012
【図１１】
2016208328.tif 000013
【図１２】
2016208328.tif 000014
【図１３】
2016208328.tif 000015
【図１４】
2016208328.tif 000016
【図１５】
2016208328.tif 000017
【図１６】
2016208328.tif 000018
【図１７】
2016208328.tif 000019
【図１８】
2016208328.tif 000020
【図１９】
2016208328.tif 000021
【図２０】
2016208328.tif 000022
【図２１】
2016208328.tif 000023
【図２２】
2016208328.tif 000024
【図２３】
2016208328.tif 000025
【図２４】
2016208328.tif 000026
【国際調査報告】
2016208328.tif 000027
2016208328.tif 000028
2016208328.tif 000029
2016208328.tif 000030